(57)【要約】【課題】非接触ＩＣタグの破損を未然に防止するとともに、通信阻害を確実に回避することのできる非接触ＩＣタグ付きブロー成形容器を提供すること。【解決手段】筒状の胴部４及び底部５を有し、ブロー成形法により成形されるブロー成形容器１において、胴部４の外面に形成された収納凹部７と、収納凹部７に設けられた非接触ＩＣタグ８と、少なくとも非接触ＩＣタグ８を収納した収納凹部７を含む胴部４に被覆したラベル９と、を備えるものである。【選択図】図１
2007230644.tif 000002
【特許請求の範囲】
【請求項１】
筒状の胴部及び底部を有し、ブロー成形法により成形されるブロー成形容器において、
前記胴部の外面に形成された収納凹部と、
前記収納凹部に設けられた非接触ＩＣタグと、
少なくとも前記非接触ＩＣタグを収納した収納凹部を含む胴部に被覆したラベルと、
を備えることを特徴とする非接触ＩＣタグ付きブロー成形容器。
【請求項２】
縦方向に延びる補強用の複数の凹凸部が周方向外面に配列した筒状の胴部及び底部を有し、ブロー成形法により成形されるブロー成形容器において、
前記補強用の複数の凹凸部における複数の凹部の一つに設けられた非接触ＩＣタグと、
少なくとも前記非接触ＩＣタグを設けた凹部を含む胴部に被覆したラベルと、
を備えることを特徴とする非接触ＩＣタグ付きブロー成形容器。
【発明の詳細な説明】
【技術分野】
【０００１】
本発明は、非接触で情報データの読み書きが可能な非接触ＩＣタグが設けられた非接触ＩＣタグ付きブロー成形容器に関する。
【背景技術】
【０００２】
近年、非接触で情報データの読み書きが可能な非接触ＩＣタグは、バーコードに比べて記憶データ容量を大きくすることができるだけでなく、汚れに対しても強く、しかも物理的強度を充分保持できるので、繰り返し再利用が可能である。
【０００３】
このような非接触ＩＣタグを実装したものとしては、例えば特許文献１に開示された発明がある。この発明に係る非接触ＩＣタグを有する梱包体は、被梱包物を保護するための保護資材に非接触ＩＣタグを脱着可能な状態で装着し、被梱包物を保護資材で保護して、被梱包物に関する情報を目視可能な文字で印字してある帳票が貼付されている電磁波透過性容器にいれて梱包し、この電磁波透過性容器の底部に非接触ＩＣタグを装着したものである。
【特許文献１】特開２００５−４１４８５号公報
【発明の開示】
【発明が解決しようとする課題】
【０００４】
ところで、上記非接触ＩＣタグは、特許文献１に開示された梱包体以外にブロー成形容器に実装することが望まれている。このようにブロー成形容器に非接触ＩＣタグを実装するには、非接触ＩＣタグの装着工程において、胴部外面に露出して装着した場合にもスタック時に破損することがある。
【０００５】
また、ブロー成形容器に非接触ＩＣタグを実装した場合には、内容物（水分）によりＵＨＦ帯域に通信阻害が生じ、あるいは装着部位の結露によって通信阻害が発生することがある。
【０００６】
本発明は、上記事情を考慮してなされたものであり、その目的とするところは、非接触ＩＣタグの破損を未然に防止するとともに、通信阻害を確実に回避することのできる非接触ＩＣタグ付きブロー成形容器を提供することにある。
【課題を解決するための手段】
【０００７】
上記課題を解決するため、本発明は次のような構成を採用する。なお、本発明の理解を容易にするために添付図面の参照符号を括弧書きにて付記するが、それにより本発明が図示の形態に限定されるものではない。
【０００８】
すなわち、請求項１に係る発明は、筒状の胴部（４）及び底部（５）を有し、ブロー成形法により成形されるブロー成形容器において、胴部（４）の外面に形成された収納凹部（７）と、収納凹部（７）に設けられた非接触ＩＣタグ（８）と、少なくとも非接触ＩＣタグ（８）を収納した収納凹部（７）を含む胴部（４）に被覆したラベル（９）と、を備える非接触ＩＣタグ付きブロー成形容器（１）であることを特徴とする。
【０００９】
請求項２に係る発明は、縦方向に延びる補強用の複数の凹部（１０）が周方向外面に配列した筒状の胴部（４）及び底部（５）を有し、ブロー成形法により成形されるブロー成形容器において、補強用の複数の凹凸部における複数の凹部（１０）の一つに設けられた非接触ＩＣタグ（８）と、少なくとも非接触ＩＣタグ（８）を設けた凹部（１０）を含む胴部（４）に被覆したラベル（９）と、を備える非接触ＩＣタグ付きブロー成形容器（１Ａ）であることを特徴とする。
【発明の効果】
【００１０】
本発明の請求項１に係る非接触ＩＣタグ付きブロー成形容器（１）によれば、胴部（４）の外面に収納凹部（７）を形成し、この収納凹部（７）に非接触ＩＣタグ（８）を設け、非接触ＩＣタグ（８）を収納した収納凹部（７）を含む胴部（４）にラベル（９）を被覆したことにより、非接触ＩＣタグ（８）が外部に露出することがなくなるので、非接触ＩＣタグ（８）の破損を未然に防止することができると共に、外観上の見栄えを損なうことがなくなる。
【００１１】
また、胴部（４）の外面が内容物によって結露したとしても、ラベル（９）の外面に結露することとなり、非接触ＩＣタグ（８）に悪影響を与えることがなくなるので、通信阻害を確実に回避することができる。
【００１２】
本発明の請求項２に係る非接触ＩＣタグ付きブロー成形容器（１Ａ）によれば、補強用の複数の凹凸部における複数の凹部（１０）の一つに非接触ＩＣタグ（８）を設け、少なくとも非接触ＩＣタグ（８）を設けた凹部（１０）を含む胴部（４）にラベル（９）を被覆したことにより、請求項１に係る発明の効果に加え、複数の凹凸部における複数の凹部（１０）が補強用として予め形成されているので、新たに非接触ＩＣタグ（８）を収納する凹部を形成することがなくなり、金型の設計変更を回避することができる。
【発明を実施するための最良の形態】
【００１３】
以下、図面を参照して本発明を実施するための最良の形態について説明する。
【００１４】
＜第１実施形態＞
図１は本発明に係る非接触ＩＣタグ付きブロー成形容器の第１実施形態を示す正面図、図２は図１のＡ−Ａ線による部分断面図である。なお、本実施形態は、ポリエチレンテレフタレート（ＰＥＴ）等のプラスチックを用いてブロー成形法により一体的に形成されたブロー成形容器に対して本発明を適用した場合の実施形態である。
【００１５】
図１に示すように、非接触ＩＣタグ付きのブロー成形容器１は、口部２と、肩部３と、胴部４と、底部５が図示しないブロー成形装置により一体に形成されている。
【００１６】
また、胴部４の中央より上方の部分には、くびれ部６が形成されており、このくびれ部６より上の肩部３は滑らかな壁面を有する。一方、くびれ部６の下方の胴部４は、円筒状に形成されている。
【００１７】
さらに、胴部４の外面には、図１及び図２に示すように収納凹部７が形成され、この収納凹部７には、非接触ＩＣタグ８が設けられている。具体的には、非接触ＩＣタグ８は、収納凹部７の底面に接着剤等により貼着されている。この場合、非接触ＩＣタグ８は、その外面が胴部４の外面と同一面となるように収納凹部７に収納されている。
【００１８】
そして、非接触ＩＣタグ８を収納した収納凹部７を含む胴部４には、例えばポリエチレンテレフタレート等のプラスチック製フィルムからなるシュリンクラベル、スリーブ、巻きラベル等のラベル９が被覆されている。
【００１９】
なお、収納凹部７は、口部２と、肩部３と、胴部４と、底部５と共に、ブロー成形装置により一体に形成されている。また、非接触ＩＣタグ８は、ブロー成形装置によりブロー成形容器１が成形された後、すなわちラベル９が被覆される前に収納凹部７の底面に貼着される。
【００２０】
非接触ＩＣタグ８は、パーソナルコンピュータ等の情報端末機器に接続した書込み読出し可能なリーダライタのヘッド部に接触又は所定間隔を保持して対向させ、そのアンテナ部から発信する商品情報や商品情報以外の情報のデータに基づく所定周波数の電波による書込み信号、あるいは読出し信号により、上記アンテナ部に誘導起電力による書込み信号あるいは読出し信号を発生させる。
【００２１】
そして、その信号により、非接触ＩＣタグ８のメモリ部に商品情報や商品情報以外の情報がデータとして記録され、あるいはそのメモリ部に記録されている商品情報や商品情報以外の情報がデータとして読み出される。
【００２２】
非接触ＩＣタグ８は、予め記録されている情報データの読み出しのみが可能であることが適当であり、その場合の情報データは、その対象商品の製造者又は販売者によって予め記録される。
【００２３】
非接触ＩＣタグ８には、例えば、物流管理情報、在庫管理情報の他、商品又は包装対象商品に関する商品情報等を情報データとして記録することができ、商品情報のみが記録されていてもよい。なお、非接触ＩＣタグ８への情報の記録は、非接触ＩＣタグ８を取り付ける前でもよいし、取り付け後でもよい。
【００２４】
非接触ＩＣタグ８に記録される商品に関する商品情報としては、例えば商品名称、製造者、販売者、住所、電話番号、あるいは製造ロット、製造日付、製造機械、製造担当者等の製造情報、あるいは調理レシピ、カロリー、賞味期限、お知らせ情報、景品の当たりはずれや応募情報等のキャンペーン情報、店舗情報、あるいは原材料名、原材料生産者名、原産地名、あるいは廃棄情報等が記録されているものの、これらの情報に限定されるものではない。
【００２５】
このように本実施形態によれば、胴部４の外面に収納凹部７を形成し、この収納凹部７に非接触ＩＣタグ８を設け、非接触ＩＣタグ８を収納した収納凹部７を含む胴部４にラベル９を被覆したことにより、非接触ＩＣタグ８が外部に露出することがなくなるので、非接触ＩＣタグ８の破損を未然に防止することができると共に、外観上の見栄えを損なうことがなくなる。
【００２６】
そして、非接触ＩＣタグ８の外面と胴部４の外面とが同一面となるように収納凹部７に収納されているので、スタック時に非接触ＩＣタグ８が障害にならず、非接触ＩＣタグ８の破損を一段と未然に防止することができる。
【００２７】
また、本実施形態によれば、収納凹部７に非接触ＩＣタグ８を設け、非接触ＩＣタグ８を収納した収納凹部７を含む胴部４にラベル９を被覆したことにより、胴部４の外面が内容物によって結露したとしても、ラベル９の外面に結露することとなり、非接触ＩＣタグ８に悪影響を与えることがなくなるので、通信阻害を確実に回避することができる。
【００２８】
さらに、本実施形態によれば、ラベル９がプラスチック製フィルムからなるので、収納凹部７に貼着した非接触ＩＣタグ８に対して電磁波を透過させることができる結果、情報の書込み読出しを確実に行うことができる。
【００２９】
＜第２実施形態＞
図３は本発明に係る非接触ＩＣタグ付きブロー成形容器の第２実施形態を示す正面図である。なお、前記第１実施形態と同一又は対応する部分には、図１と同一の符号を用いて異なる構成のみを説明する。
【００３０】
図３に示すように、本実施形態の非接触ＩＣタグ付きのブロー成形容器１Ａは、筒状の胴部４に縦方向に延びる複数の凹部１０が周方向外面に配列して形成されており、これら複数の凹部１０間に縦方向に延びる補強用の凸部１１が複数形成されている。本実施形態では、これらの凸部１１を形成したことで、内容物が充填されたブロー成形容器１Ａの搬送時にかかる外力に対する機械的強度を高めている。
【００３１】
また、複数の凹部１０の一つには、その底面に非接触ＩＣタグ８が接着剤等により貼着されている。そして、非接触ＩＣタグ８を収納した凹部１０を含む胴部４には、前記第１実施形態と同様にラベル９が被覆されている。
【００３２】
なお、複数の凹部１０及び凸状部１１は、口部２と、肩部３と、胴部４と、底部５と共に、ブロー成形装置により予め一体に形成されている。また、非接触ＩＣタグ８は、前記第１実施形態と同様にブロー成形装置によりブロー成形容器１Ａが成形された後、すなわちラベル９が被覆される前に凹部１０の底面に貼着される。
【００３３】
このように本実施形態によれば、補強用の複数の凹凸部における複数の凹部１０の一つに非接触ＩＣタグ８を設け、少なくとも非接触ＩＣタグ８を設けた凹部１０を含む胴部４にラベル９を被覆したことにより、前記第１実施形態の効果に加え、複数の凹凸部における複数の凹部１０が補強用として予め形成されているので、新たに非接触ＩＣタグ８を収納する凹部を形成することがなくなり、金型の設計変更を回避することができる。その他の構成及び作用は、前記第１実施形態と同様であるので、その説明を省略する。
【図面の簡単な説明】
【００３４】
【図１】本発明に係る非接触ＩＣタグ付きブロー成形容器の第１実施形態を示す正面図である。
【図２】図１のＡ−Ａ線による部分断面図である。
【図３】本発明に係る非接触ＩＣタグ付きブロー成形容器の第２実施形態を示す正面図である。
【符号の説明】
【００３５】
１，１Ａ…ブロー成形容器
２…口部
３…肩部
４…胴部
５…底部
６…くびれ部
７…収納凹部
８…非接触ＩＣタグ
９…ラベル
１０…凹部
１１…凸状部
【図１】
2007230644.tif 000003
【図２】
2007230644.tif 000004
【図３】
2007230644.tif 000005